(57)【要約】      （修正有）【課題】完全な密閉が達成された時に明白な表示を与えるクロージャーを提供する。【解決手段】この密閉表示器は開口を形成する袋１０の縁３０に、又は、その近傍に設けても良い。密閉表示器は機械的シールを設けても良く、このシールは閉じる時に同一直線になる。他の代替的実施例では、フラップ３１を密閉システムに隣接して設けても良い。このフラップは、袋１０を閉じた時に位置が変わる。この位置の変化は、袋１０から完全な切り離しでも良く、又は、この袋１０の開閉で第１の位置から第２の位置に変化しても良い。この袋１０の開閉はスライダー５０で行うことが出来る。【選択図】図５
2010222060.tif 000002
【特許請求の範囲】
【請求項１】
２つの縁により画定された開口と、スライダーにより密閉可能な密閉用のかみ合い式機械的シールとを備えており、前記スライダーの平行移動に応じて位置を変える、少なくとも１枚のフラップが、前記機械的シールに並置されるようにした半密閉柔軟性袋。
【請求項２】
前記スライダーが平行移動する時に、前記スライダーが前記袋から前記フラップを切り離すことを特徴とする、請求項１に記載の袋。
【請求項３】
前記フラップが前記スライダーの平行移動に従って第１位置から第２位置に折りたたまれることを特徴とする、請求項１に記載の袋。
【請求項４】
前記フラップが、前記袋の開放状態又は密閉状態を表わす表示を有することを特徴とする、請求項３に記載の袋。
【発明の詳細な説明】
【発明の詳細な説明】
【０００１】
発明の属する分野
本発明は柔軟性貯蔵袋、特に腐り易い材料はじめ各種物品を収容し保護するための使用に適当な袋に広く採用されるクロージャーに関する。
【０００２】
発明の背景
各種物品の収容及び保護、さらには食品のような腐り易い材料の保護の為の使用に適当な柔軟性貯蔵袋は従来技術において周知である。この様な袋は典型的には、２つの柔軟性対向側壁、３つのシールされ又は折り曲げられた縁、及び１つの開口の縁を有する半密閉容器を形成するために、それ自体に折り重ねられて２つの縁に沿ってシールされた高分子フィルムの長方形のシートからなっている。かみ合いリブ型シールのような袋と一体に形成された、又はプラスチック又は紙被覆ワイヤのタイのように個別に提供されたクロージャーが、収納アセンブリを完成する。
【０００３】
本明細書で使用するときには、用語「柔軟性」は、特に反復する屈曲又は曲げが可能なので、柔軟で、外部から加えられた力に応じて容易に変形し得る材料をいうために使用される。したがって「柔軟性」は、この意味において、実質的に、撓まない、硬い、又は変形しないという用語と対立する。それ故、柔軟である材料と構造物は、外力に順応して一体性を失うことなく、接触する対象物の形状に良く合致するように形状及び構造を変えることが出来る。上述の多様性をもつ柔軟性貯蔵袋は典型的には、厚さが０．００５０８ｍｍ乃至０．０５０８ｍｍ(約０．０００２インチ乃至０．００２インチ)の、ポリエチレンその他のポリオレフィン系の物質の様な高分子フイルムで形成される。この様な高分子フイルムはしばしば透明で、時に不透明又は有色のこともある。
【０００４】
最近の市販の各種の柔軟性貯蔵袋は、広範囲の物品や材料を一般に使い捨て可能の収納装置の中に便利に貯蔵する手段を提供する。多くの市販の柔軟性貯蔵袋は、その袋の開口の密閉を具現する為に機械的かみ合いシールを使用し、その様な袋のあるものは機械的かみ合いシールの開閉容易性改善のために摺動式機械的クロージャーを補助的に採用している。どちらのタイプの機械的かみ合いシールについても、所望の密閉操作の完成実現のためには、完全な密閉が事実上、袋の開口の一方から反対側へ横断して完了したかどうかを決定するという課題が残っている。
【０００５】
したがって、完全な密閉が達成された時に明白な表示を与えるクロージャーを提供することが切望されている。
【０００６】
発明の要旨
本発明は開口と、この開口を閉じるための密閉装置と、密閉表示器とを有する柔軟性貯蔵袋を提供する。この袋は半密閉であって、２つの縁で形成された開口を有する。密閉表示器は、この袋の開放又は密閉状態に応じて位置を変える。
【０００７】
一実施例では、密閉表示器は、この袋の開口を画定する、不揃いの２つの縁を有する。２つの縁は、袋を開放した時に不揃いであるが、この袋を密閉した時に２つの縁は、実質的に同一直線上にある。一実施例では、この袋は全体として平面状であり、不揃いの２つの縁がこの袋の平面内に位置する。他の実施例では、不揃い配置は袋の平面に大体垂直に配置される。
【０００８】
他の実施例では、密閉表示器は機械的シールからなる。この機械的シールは、スライダーにより作動する。密閉表示器は、この機械的シールに並置される１つまたはそれ以上のフラップを備えても良い。このフラップはスライダーの平行移動に応じて位置を変える。一実施例では、このスライダーは、平行移動した時に袋からフラップを切り離す。他の実施例では、スライダーの平行移動に従ってフラップを第１位置から第２位置に折りたたむようにしても良い。
【０００９】
発明の詳細な説明
図１は本発明に基く柔軟性貯蔵袋１０の好ましい実施例を示す。図１は袋１０の面内に位置する不揃いを有する概ね平らな袋１０を示す。図１に示す実施例では、柔軟性貯蔵袋１０は袋本体２０を有し、この袋本体２０は１枚の柔軟なシート状の材料で作られ、このシート状の材料折り目２２によってそれ自体の上に折り重ねられ、側部継目２４、２６に沿って接着されて、縁３０に沿った開口を有する半密閉容器を形成する。柔軟性貯蔵袋１０は、充分密閉されたコンテナ又は容器を形成するために、縁３０をシールのため縁３０に隣接して配置された機械的クロージャー・システム４０をも有する。例えば図１の柔軟性貯蔵袋１０のような袋も、シート状の材料の連続した管で構成され、それによって、側部継目２４、２６を排除し、底部の継目を折り目２２の代用にすることが出来る。機械的クロージャー・システム４０は任意の従来設計のかみ合い型機械的シールを有し、かみ合い型機械的シールを開閉するために図１の実施例に示すような摺動型機械的要素（スライダー）５０を選択的に有することが出来る。この摺動型機械的クロージャー５０は採用するかみ合い型機械的シールの形式として適当な従来型設計を有することが出来る。かみ合い型機械的シールは、相補的なかみ合い形状、相補的なかみ合い形状を有し対向して対をなすリブ／溝、又は従来公知のような他の構成を有することが出来る。
【００１０】
図１は開かれ又はしっかり閉じられていない位置に有るクロージャー４０を有する柔軟性袋１０を示す。この位置では、上縁３０の対向する両部分はクロージャー４０によって画定され、好ましくはクロージャー４０の機械的かみ合い型シールのかみ合う部分の実質的に完全な不揃いを有する、異なる輪郭形状を示す。したがって、袋１０をどちらか一方の側から見る消費者に、その袋１０が実際にしっかり閉じられていないこと、それにより、対応する目視表示を提供することは既に明らかである。上縁３０とクロージャー４０の対向両部分は、その形状が充分異なり所望の目視表示を与える限り、正弦波か、又は任意所望の形状を有することが出来る。
【００１１】
図２は、選択的なスライダー５０を「Ｃ」の方向に移動させ、それにより、上縁３０の対向する両部分を、クロージャー４０と共に、不揃いが解消されるまで引くことによって充分にしっかりと閉じられたクロージャー４０を有する柔軟性袋１０を示す。開口を形成する袋１０の上縁３０の形状の変化によって、首尾良く密封が達成されたことを表示するその時の対応形状を有するクロージャー４０の状況の明瞭な目視表示が、提供される。
【００１２】
図３及び図４は、良く似ているが図１と図２の目視表示の面に対して９０度の異なる面が表示された袋１０の形状を示す。具体的には、開口のクロージャー４０と上縁３０は、袋１０が上から見られた時に不揃いであるが、スライダー５０の「Ｃ」方向の移動により、上縁３０の不揃いが解消されて、首尾良い密封が達成されたという表示が提供される。この袋１０は概ね平らであり、不揃いが袋１０の面に対して直角に存在する。上縁３０とクロージャー４０の対向する両部分は、その形状が充分異なり所望の目視表示を与える限り、正弦波形又は任意所望の形状を有することが出来る。
【００１３】
図１乃至図４の袋１０の縁３０は任意の不規則な形状を有することが出来、この形状は、この袋１０が開かれた時に、この袋１０の不揃いを提供する。縁３０は好ましい実施例では正弦波形の形状である。認識すべきは、縁３０、クロージャー４０、又はその両者が、実質的に同一直線上にあり、図１乃至４の袋１０が閉じられたときに不揃いを解消させ得ることである。
【００１４】
図５は本発明に基く柔軟性袋１０の他の実施例を示す。この柔軟性袋１０はスライダー５０を有し、このスライダー５０は、「Ｃ」の方向に平行移動した時に、クロージャー４０をしっかり閉じるだけでなく、クロージャー４０の上方に袋本体２０の少なくとも一方の側部の上部に形成されたフラップ３１を折りたたむ。フラップの移動と、袋１０の開口を形成する上縁３０の形状のこれに対応する変化とにより、クロージャー４０の状態の明瞭な目視表示が提供される。適当な表示は、「閉じられている」、「開かれている」、又は、それと同様のことを明示する為に、フラップの一方の側部又は両側部に配置しても良い。
【００１５】
図６は本発明に基く柔軟性袋１０のさらに他の実施例を示す。図６に示すように、スライダー５０が「Ｃ」方向へ移動をした時に、スライダー５０により、材料７０の細片が、密閉課程が完了するに従い同様に漸進する要領で袋１０の上縁３０から切り離される。スライダー５０が充分移動した時に、材料７０の細片は自由に落下し、又は容易に脱落して袋１０の開口の変更によって首尾良いクロージャー４０の作動の目視表示を提供することが出来る。図７は、１個以上の鋭いナイフ状ブレード８０を有するスライダー５０の断面図を示す。このブレードは内側に延びており袋１０の最上部に接触してこれを切り離させる。選択的にこのブレードは、反復するクロージャー４０のサイクルが継続されるときには、徐々に下方移動するようにばねを装着出来るので、材料７０の新しい細片が、クロージャー４０がしっかり閉じられる度に毎回材料が不足するまで切り離される。材料の切り離された細片は信頼し得る方法で廃棄出来る。
【００１６】
必要に応じ、図６及び図７の袋１０は多数のフラップ３１を有することが出来る。例えば１個のフラップ３１は、スライダー５０が密閉する方向に移動したときに、切り離されることが又は位置変更が出来る。他のフラップ３１はスライダー５０が開く方向に移動したときに切り離されること又は位置変更が出来る。この実施例は袋１０が１回使用後廃棄でなく多数回使用を意図する場合に特に適するように考慮されている。
【００１７】
本発明に基く柔軟性貯蔵袋１０を構成するための各種の構成要素は、本来的に主として二次元であるか、又は三次元構造に形成された、実質的に不透過性の材料、例えば塩化ビニル（ＰＶＣ）、ポリ塩化ビニリデン（ＰＶＤＣ）、ポリエチレン（ＰＥ）、ポリプロピレン（ＰＰ）、アルミニュウム箔、コート（ワックス等）紙と非コート紙、コート不織布等、及び実質的に透過性の材料、例えば、スクリム、網、織布、不織布、又は有孔或いは多孔のフィルム等が、含まれている。この様な材料は単一構造又は層からなるものでも良く、又は所定の物質の担体として使用される基質材料をはじめ多数の材料の複合材料でも良い。
【００１８】
一旦所望のシート材料が、任意の望ましく適当な方法で製造され、袋本体２０に使用すべき材料の全て又は一部からなるときには、袋１０は、任意公知の適当な方法、例えばこの様な袋１０を商業的に利用できる形で製造するための従来公知の技術でつくることが出来る。加熱又は接着シールの技術は、袋１０の各種の構成部材又は構成要素を、それ自体で又は相互に接合する為に利用することが出来る。さらに、袋本体２０は、熱成形加工、ブロー成形加工、又はウエブ又はシートの材料から袋本体２０をつくるための折り曲げ及び接着技術に依存しない他のモールド加工を施すことが出来る。最近の２件の米国特許明細書は、上述の全体の構造に類似で最近利用できるタイプの柔軟性貯蔵袋１０に関する技術の状態を説明したもので、１９９６年９月１０日発行のポーシャ（Ｐｏｒｃｈｉａ）他の米国特許第５，５５４，０９３号明細書、及び、１９９６年１１月１９日発行のダイス（Ｄａｉｓ）他の米国特許第５，５７５，７４７号明細書である。
【００１９】
勿論、本発明に基く袋１０の混成の実施例も適当であって、考慮されている。例えば図１及び図２の実施例は、両面に偏り又は波形を有する上縁３０で画定される開口を得るために、図３及び４の実施例と組み合わせることが出来る。さらに、図１と図２及び又は図３と図４の実施例は、袋１０の開、閉、又は進行中の密閉を表示する不揃いの縁３１を有する袋１０を製造するために、図５乃至図７の実施例と組み合わせることが出来る。
【００２０】
本発明の独特の実施例を説明したが、各種の他の変更及び改良が本発明の精神及び範囲を逸脱することなく可能であることは、当業者には明らかである。それ故、本発明の範囲内にあるこの様な全ての変更及び改良を添付の請求の範囲に含めることを意図している。
【図面の簡単な説明】
【００２１】
本明細書は本発明のクレームを詳細に指摘して明瞭に説明した請求の範囲を添付したが、本発明が添付図面と関連付けた以下の説明によってより良く理解されるものと確信しており、この図面では参照数字が類似の構成要素と同じものとして識別されている。
【図１】図1は本発明に基く密閉表示器を採用した開かれた柔軟性袋の立面図であり、この袋は平らで、密閉表示器がこの袋の面内にある。
【図２】図２は図１の袋の充分に閉じられた状態における立面図である。
【図３】図３は本発明に基く密閉表示器を採用した他の開かれた柔軟性袋の上面図であり、この袋は概ね平らで、密閉表示器がこの袋の面に直角である。
【図４】図４は図３の袋の充分に閉じられた状態の上面図である。
【図５】図５は本発明に基く密閉表示器を採用した他の柔軟性袋の立面図である。
【図６】図６は本発明に基く密閉表示器を採用したさらに他の柔軟性袋の立面図である。
【図７】図７は図６の袋のスライダーの部分断面立面図である。
【図１】
2010222060.tif 000003
【図２】
2010222060.tif 000004
【図３】
2010222060.tif 000005
【図４】
2010222060.tif 000006
【図５】
2010222060.tif 000007
【図６】
2010222060.tif 000008
【図７】
2010222060.tif 000009